(57)【要約】  【課題】    著作権者の保護と、使用者の使い勝手とを両立させることができる携帯端末を提供する。  【解決手段】  制御部８は、携帯端末の使用者の便宜を図りつつも、テレビジョン信号に基づく画像にかかる著作権者の権利を損なう恐れがある場合には、画像データをメモリカード７に記憶したり外部へ送信しないことで、かかる権利を保護することができる。【選択図】    図３
2006033109.tif 000002
【特許請求の範囲】
【請求項１】
撮像を行って画像信号を生成する撮像部と、
テレビジョン信号を受信し、前記テレビジョン信号から画像信号を生成するチューナ部と、
前記撮像に基づく画像と、前記テレビジョン信号に基づく画像との少なくとも一方を表示する表示部と、
前記撮像部により生成された画像信号を第１の画像データとして、及び／又は前記チューナ部により生成された画像信号を第２の画像データとして、外部の端末へ送信可能な通信手段と、を有する携帯端末であって、
前記通信手段は、所定の条件が満たされたときに、前記第２の画像データを外部の端末へ送信することを特徴とする携帯端末。
【請求項２】
前記テレビジョン信号から生成された画像信号が、それに基づく画像を前記携帯端末以外の端末に配布することを許可する情報を含んでいる場合、前記通信手段は、前記第２の画像データを外部の端末へ送信することを特徴とする請求項１に記載の携帯端末。
【請求項３】
撮像を行って画像信号を生成する撮像部と、
テレビジョン信号を受信し、前記テレビジョン信号から画像信号を生成するチューナ部と、
前記撮像に基づく画像と、前記テレビジョン信号に基づく画像との少なくとも一方を表示する表示部と、
着脱不能な第１メモリと、
着脱可能な第２メモリと、を有する携帯端末であって、
前記撮像部により生成された画像信号を第１の画像データとして、前記第１メモリと前記第２メモリの少なくとも一方に記憶可能としており、
前記チューナ部により生成された画像信号を第２の画像データとして、前記第１メモリのみに記憶可能としていることを特徴とする携帯端末。
【請求項４】
前記第２の画像データは、前記テレビジョン信号に基づく画像であることを示す情報を含んでいることを特徴とする請求項３に記載の携帯端末。
【請求項５】
所定の条件が満たされたときに、前記着脱不能な第１メモリに記憶されている前記第２の画像データを、前記着脱可能な第２メモリに記憶できるコピー手段を有することを特徴とする請求項３又は４に記載の携帯端末。
【請求項６】
撮像を行って画像信号を生成する撮像部と、
テレビジョン信号を受信し、前記テレビジョン信号から画像信号を生成するチューナ部と、
前記撮像に基づく画像と、前記テレビジョン信号に基づく画像との少なくとも一方を表示する表示部と、
前記撮像部により生成された画像信号を第１の画像データとして、及び／又は前記チューナ部により生成された画像信号を第２の画像データとして、記憶する着脱可能なメモリと、を有する携帯端末であって、
前記メモリは、所定の条件が満たされたときに、前記第２の画像データを記憶することを特徴とする携帯端末。
【請求項７】
前記テレビジョン信号から生成された画像信号が、それに基づく画像をコピーすることを許可する情報を含んでいる場合、前記メモリは、前記第２の画像データを記憶することを特徴とする請求項６に記載の携帯端末。
【請求項８】
前記所定の条件が満たされたか否かに関わらず、前記第２の画像データを記憶する着脱不能なメモリを有することを特徴とする請求項６又は７に記載の携帯端末。
【発明の詳細な説明】
【技術分野】
【０００１】
本発明は、撮像機能及びテレビジョン放送受信機能を備えた携帯端末に関する。
【背景技術】
【０００２】
近年、撮像機能付き携帯電話が急速に発達し、例えば２００万画素の固体撮像素子を搭載したものも市販されている。一方、ＴＶチューナーを内蔵した携帯電話も登場するようになった（非特許文献１）。ここで、撮像機能付き携帯電話においては、自ら撮像した画像もしくは映像に関する著作権は、本来的には撮影者に帰属するため、これらをコピーしたり、メール添付で第三者に送信することは通常は自由である。一方、ＴＶ番組の静止画もしくは動画像に関する著作権については、本来的には携帯電話の使用者に帰属しないので、これらをコピーしたり、メール添付で第三者に送信することは、通常は制限があると考えられる。
【非特許文献１】http://www.vodafone.jp/japanese/products/kisyu/v401t/index.html
【発明の開示】
【発明が解決しようとする課題】
【０００３】
ここで、撮像により得られた画像と、放映された映像から取得された画像とは、画像信号としては区別が付かないため、メモリ内に混在して記憶すると、そのような携帯電話の使用者が、著作権により配布等を禁止されている画像について、無意識に第三者にメール添付で送信してしまったり、他人にメモリごと譲渡したりする場合もあり、著作権者の保護が図りにくいということがある。一方、著作権者が許可したものについては、原則的に配布やコピーは自由であることから、その取り扱いに制限を課すのは妥当でない。従って、放映された映像から取得される画像についてどのように取り扱うかが問題となる。
【０００４】
本発明は、これらの課題に鑑みてなされたものであり、著作権者の保護と、使用者の使い勝手とを両立させることができる携帯端末を提供することを目的とする。
【課題を解決するための手段】
【０００５】
第１の本発明の携帯端末は、撮像を行って画像信号を生成する撮像部と、テレビジョン信号を受信し、前記テレビジョン信号から画像信号を生成するチューナ部と、前記撮像に基づく画像と、前記テレビジョン信号に基づく画像との少なくとも一方を表示する表示部と、前記撮像部により生成された画像信号を第１の画像データとして、及び／又は前記チューナ部により生成された画像信号を第２の画像データとして、外部の端末へ送信可能な通信手段と、を有する携帯端末であって、前記通信手段は、所定の条件が満たされたときに、前記第２の画像データを外部の端末へ送信するので、前記携帯端末の使用者の便宜を図りつつも、前記テレビジョン信号に基づく画像の著作権者の権利を損なう恐れがある場合（所定の条件が満たされていない場合）には、第２の画像データを外部へ送信しないことで、かかる権利を保護することができる。尚、本明細書中、「画像」というときは、静止画像の他、音声なし動画像及び音声付き動画像を含むものとする。また、本明細書においては、画像信号を処理することで、画像データとしているが、既に処理された画像信号は、画像データと同じものとして扱うものとする。
【０００６】
前記テレビジョン信号から生成された画像信号が、それに基づく画像を前記携帯端末以外の端末に配布することを許可する情報を含んでいる場合、前記所定の条件が満たされたものとして、前記通信手段は、前記第２の画像データを外部の端末へ送信することで、前記通信手段が自動的に、前記テレビジョン信号に基づく画像に対応する第２の画像データを外部の端末へ送信するか否かを判断するので便利である。尚、「配布することを許可する情報を含む」とは、配布することを禁止する情報を含んでいない場合も相当する。
【０００７】
第２の本発明の携帯端末は、撮像を行って画像信号を生成する撮像部と、テレビジョン信号を受信し、前記テレビジョン信号から画像信号を生成するチューナ部と、前記撮像に基づく画像と、前記テレビジョン信号に基づく画像との少なくとも一方を表示する表示部と、着脱不能な第１メモリと、着脱可能な第２メモリと、を有する携帯端末であって、前記撮像部により生成された画像信号を第１の画像データとして、前記第１メモリと前記第２メモリの少なくとも一方に記憶可能としており、前記チューナ部により生成された画像信号を第２の画像データとして、前記第１メモリのみに記憶可能としている。前記第２メモリは着脱自在であるので、これを着脱して別の携帯電話に装填したり、パソコンからアクセスさせると、画像データの外部流出が任意に可能となってしまうことに鑑みて、前記撮像に基づく画像に対応する第１の画像データは前記第２メモリにも記憶可能とすることで、前記携帯端末の使用者の便宜を図りつつ、前記テレビジョン信号に基づく画像に対応する第２の画像データは前記第２メモリに記憶不能とすることで、前記テレビジョン信号に基づく画像の著作権者の権利を損なう恐れを回避する。
【０００８】
前記第２の画像データは、前記テレビジョン信号に基づく画像であることを示す情報を含んでいると、かかる情報に基づいて、前記メモリへの記憶を選択的に行えるので好ましい。ここで、「テレビジョン信号に基づく画像であることを示す情報を含んでいる」とは、何月何日何時何分にいずれのチャンネルから取得したというような具体的な情報を付する他、撮像部から得られた画像とは異なる識別子を付する場合も該当する。
【０００９】
所定の条件が満たされたときに、前記着脱不能な第１メモリに記憶されている前記第２の画像データを、前記着脱可能な第２メモリに記憶できるコピー手段を有すると好ましい。例えば著作権者がコピーを許可することを示す所定の条件が満たされれば、前記第２の画像データを、前記着脱可能な第２メモリに記憶しても、その利益を損なう恐れはないからである。
【００１０】
第３の本発明の携帯端末は、撮像を行って画像信号を生成する撮像部と、テレビジョン信号を受信し、前記テレビジョン信号から画像信号を生成するチューナ部と、前記撮像に基づく画像と、前記テレビジョン信号に基づく画像との少なくとも一方を表示する表示部と、前記撮像部により生成された画像信号を第１の画像データとして、及び／又は前記チューナ部により生成された画像信号を第２の画像データとして、記憶する着脱可能なメモリと、を有する携帯端末であって、前記メモリは、所定の条件が満たされたときに、前記第２の画像データを記憶するので、前記携帯端末の使用者の便宜を図りつつも、前記テレビジョン信号に基づく画像の著作権者の権利を損なう恐れがある場合（所定の条件が満たされない場合）には、前記第２の画像データを前記メモリに記憶しないことで、かかる権利を保護することができる
【００１１】
前記テレビジョン信号から生成された画像信号が、それに基づく画像をコピーすることを許可する情報を含んでいる場合、前記所定の条件が満たされたものとして、前記メモリは、前記第２の画像データを記憶することで、自動的に、前記第２の画像データを前記メモリへ記憶するか否かを判断するので便利である。尚、「コピーすることを許可する情報を含む」とは、コピーすることを禁止する情報を含んでいない場合も該当する。
【００１２】
前記所定の条件が満たされたか否かに関わらず、前記第２の画像データを記憶する着脱不能なメモリを有すると、前記表示部への表示などを行うのに便利である。又、着脱不能なメモリ自体は、携帯端末より分離ができず、それを介して画像データを外部流出させることは困難であるから、著作権者の利益を損なう恐れを回避できる。
【発明の効果】
【００１３】
本発明によれば、著作権者の保護と、使用者の使い勝手とを両立させることができる携帯端末を提供することができる。
【発明を実施するための最良の形態】
【００１４】
以下、本発明の実施の形態を図面を用いて説明する。図１は、本実施の形態にかかる撮像機能付き携帯電話Ｔの正面図（ａ）及びその背面図（ｂ）である。かかる携帯電話Ｔについて説明する。図１に示すように、携帯電話Ｔは、表示画面（表示部ともいう）１７４を備えたケースとしての上筐体１７１と、操作ボタン群１６を備えた下筐体１７２とがヒンジ１７３を介して連結されている。レンズとＣＣＤとを含む撮像部１００は、上筐体１７１の内表面側（表示画面１７４を有する側）の表示画面１７４の下方に内蔵されており、撮像部１００内へと、レンズ４２（図２）を介して上筐体１７１の外表面から光を取り込めるようになっている。
【００１５】
下筐体１７２の側面には、モードスイッチ４１が配置されている。モードスイッチ４１は、図に示す中央位置から上方及び下方にスライド可能となっており、通常このモードスイッチ４１は中央位置にあり、通話モード（もしくはメール送信モード）を設定しているが、上方にスライドさせると、それに応じて制御部８（図２）が通話モードからカメラモードに切り替える。カメラモードでは、レリーズスイッチＲの操作により撮像が可能となる。一方、モードスイッチ４１を下方にスライドさせると、それに応じて制御部８が通話モードからテレビモードに切り替える。テレビモードでは、ＴＶチューナ部５０（図２）で生成した画像信号に基づいて、表示画面１７４にテレビ映像を表示できるようになっている。
【００１６】
図２は、本実施の形態にかかる撮像機能付き携帯電話Ｔの構成を示すブロック図である。通話モードが設定されている場合、図２において、送話部２では、例えばコンデンサマイク２１などから使用者の発する音声が、このマイク２１を介して音声信号に変換された後、音声コーデック１１、チャネルコーデック１２、変調部２２を介して送信部２３へ出力され、ＳＷＩＣ１３によりダイバーシティアンテナ１４から、外部の電話機等を介して通話相手へ送信される。又、通信手段である送信部２３は、所定の条件下、制御部８からの指示により、記憶部（又はメモリともいう）であるＦＲＯＭ５１又は着脱可能なメモリカード７に記憶された画像に対応する画像データを、メール添付して外部の端末へと送信できるようになっている。
【００１７】
一方、受話部３では、通話相手からの送信信号を前述のダイバーシティアンテナ１４を介してＳＷＩＣ１３により受信部３１で受信すると、復調部３２、チャネルコーデック１２、音声コーデック１１を介して通話相手の音声がレシーバ３３やスピーカ３４などから聞き取れるように構成されている。
【００１８】
ＴＶチューナ部（チューナ部ともいう）５０は、不図示のアンテナを介してテレビジョンのアナログ放送信号もしくはデジタル放送信号（これらを総称してテレビジョン信号という）を取得し、それに基づき画像信号を生成する。画像信号は、制御部８で画像処理されて、表示画面１７４に入力されて可視画像として表示される。尚、請求項にいう「所定の処理」とは、例えば撮像部１００又はチューナ部５０から得られた画像信号に対し、輝度と色差からなるビデオ信号に変換し、規格化された圧縮方式を使用し圧縮処理を施して画像データを得るための処理をいう。なお所定の処理は本方式に限ったものでなく、要は、記憶部へ記憶するために、画像信号に何らかの処理を使用して得られたデータを画像データとして扱うものとする。
【００１９】
撮像素子を含む撮像部１００は、図２に示すように、表示画面１７４や操作ボタン群１６を設けた前面側とは反対の背面側にレンズ４２を設けており、カメラモードが設定されている場合、撮影した画像がこのレンズ４２を介してＣＣＤなどの撮像素子４３に結像するので、そこから出力される画像信号を取得できるようになっている。尚、図示していないが、レンズ４２は合焦位置になるよう光軸方向に駆動可能な構成となっている。また、この実施形態の撮像部１００は、カメラモード時に、操作ボタン群１６のうちレリーズスイッチＲを操作することで、撮像処理を行い、それにより得られた画像信号に基づき、カードコントローラ５２により選択されたＦＲＯＭ５１又はメモリカード７に、対応する画像データが記憶されるようになっている。
【００２０】
着脱不能なＦＲＯＭ５１（第１メモリ）と着脱可能なメモリカード７（第２メモリ）は、撮像部１００で撮像した画像に対応する画像データを記憶しておくためのものであるが、図３に示す実施の形態では、テレビジョン信号に基づく画像に対応する画像データはＦＲＯＭ５１のみに記憶される。尚、これ以外に、制御部８はワークメモリを有している。このワークメモリは、後述のプレビュー表示のために画像信号に所定の処理を施す場合や、メモリカード７へ記憶するために画像信号へ所定の画像処理を行う場合に、一時的に記録するためなどに使用されるものである。
【００２１】
図３は、本実施の形態にかかる撮像機能付き携帯電話Ｔの動作の一例を示すフローチャート図である。携帯電話Ｔの使用者がパワースイッチをオンにすると、通話モードで外部の携帯電話と通話を行うことができる。ここで、ユーザーがモードスイッチ４１を操作したものとする（図３のステップＳ１０１）。すると、制御部８は、ステップＳ１０２で、モードスイッチ４１からの信号に基づいて、カメラモードとテレビモードのいずれかを設定する。
【００２２】
より具体的には、モードスイッチ４１が上方に操作されたことに応動し、制御部８は、カメラモードを設定する。このとき、ステップＳ１０３で、制御部８は、予め選択された情報に基づいて画像データの記憶先としてＦＲＯＭ５１もしくはメモリカード７のいずれかを選択する。
【００２３】
更に、ステップＳ１０４で、制御部８は、撮像部１００を制御して、フォーカシングを行い合焦位置にレンズ４２を移動させ、撮像素子４３を介して取り込んだ画像信号に所定の処理を施して、表示画面１７４に入力し、可視画像として表示し、いわゆるプレビュー表示を行う。
【００２４】
更に、ステップＳ１０５で、制御部８はレリーズスイッチＲの操作を待ち、そのレリーズ操作に応動して、ステップＳ１０６において、撮像部１００に撮像処理を実行させ画像の取り込みを行って、得られた画像信号を画像処理して、画像の記憶先として選択されているＦＲＯＭ５１もしくはメモリカード７に、対応する画像データ（第１の画像データ）を記憶する（ステップＳ１０７）。例えば、レリーズスイッチＲが瞬時押圧された場合には、その瞬間の静止画像に対応する画像信号が画像データとされ、レリーズスイッチＲが一定期間押圧された場合には、その期間の動画に対応する画像信号が画像データとされるものとする。
【００２５】
これに対し、ステップＳ１０２で、モードスイッチ４１が下方に操作された場合には、制御部８は、テレビモードを設定する。このとき、ステップＳ１０８で、制御部８は、ＴＶチューナ部５０を介して生成された画像信号を入力して画像処理し画像データ（第２の画像データ）としてＦＲＯＭ５１に記憶する。即ち、本実施の形態では、テレビジョン信号に対応する画像データは、着脱可能なメモリカード７に記憶されることはない。更に、ステップＳ１０９で、制御部８は、画像信号に所定の処理を施して、表示画面１７４に入力し、可視画像として表示する。それにより携帯電話の使用者は、テレビ番組を視聴できる。尚、テレビジョン信号に基づく画像データは、ＦＲＯＭ５１の記憶残量が少なくなった場合、古い画像データに順次上書きされる。但し、ＦＲＯＭ５１の容量節約のため、レリーズスイッチＲを押したときだけ、テレビジョン信号に対応する画像データをＦＲＯＭ５１に記憶するようにしても良い。例えば、レリーズスイッチＲが瞬時押圧された場合には、その瞬間の静止画像に対応する画像信号が画像データとされ、レリーズスイッチＲが一定期間押圧された場合には、その期間の動画に対応する画像信号が画像データとされるものとする。
【００２６】
本実施の形態によれば、ＴＶチューナ部５０から入力された画像信号に基づく画像データを、着脱不能なＦＲＯＭ５１のみに記憶するので、違法なコピーを防止して、放映された画像にかかる著作権者の権利を保護することができる。一方、ＴＶチューナ部５０から入力された画像信号に基づいて視聴は可能であるから、携帯電話の使用者の使い勝手を確保できる。
【００２７】
尚、ユーザーからの料金徴収により著作権者側の許可が得られたごとく所定の条件が満たされたときには、所定のキー入力に応じてコピー手段である制御部８が、ＦＲＯＭ５１に記憶されているテレビジョン信号に対応する画像データを、メモリカード７へとコピーするようにしても良い。
【００２８】
ところで、上述した実施の形態では、テレビジョン信号に基づく画像に対応する画像データは、メモリカード７に記憶させないようにしているが、このような一律な取り扱いは使用者の使い勝手を損ねる恐れがある。以下の変形例では、所定の条件下、テレビジョン信号に基づく画像に対応する画像データを、メモリカード７に記憶させることで、使用者の使い勝手を向上させている。
【００２９】
図４は、本実施の形態の変形例にかかるフローチャート図である。図４において、ステップＳ１０１〜Ｓ１０９は、図３に示すフローチャートと同じであるため説明を省略する。ここで、ＴＶチューナ部５０の取得したテレビジョン信号が、画像の配布、コピー、配布及びコピーのいずれかを許可もしくは禁止する情報を含む場合、ＴＶチューナ部５０は、生成された画像信号の中にそれに応じた許可情報を、付帯情報として埋め込むものとする。
【００３０】
例えば、携帯電話の使用者は、料理番組のレシピやクイズの送り先など、テレビ番組の一部をメモリカード７に記録したい場合がある。かかる場合、例えばレリーズスイッチ（記録開始ボタンを兼ねる）Ｒを操作するものとする。ステップＳ１１０で、制御部８はレリーズスイッチＲの操作を待ち、そのレリーズ操作に応動して、ステップＳ１１１において、現在表示画面に表示されている画像に対応する画像信号の許可情報をチェックする。ここで、許可情報が「コピー可能」もしくは「配布及びコピー可能」である旨の情報を含んでいれば、制御部８は表示画像に対応する画像データを画像信号から抽出してメモリカード７に記憶する（ステップＳ１１２）。このとき、制御部８は、テレビジョン信号から取得された画像データ（例えば識別子．ｐｎｇ）は、撮像部１００から得られた画像データ（例えば識別子．ｊｐｇ）とは識別子を変え、且つ画像データ中の付帯情報内に、許可情報に対応づけて「配布不可」もしくは「配布可能」の情報を含ませるものとする。
【００３１】
一方、許可情報が「コピー不可」もしくは「配布及びコピー不可」である旨の情報を含んでいれば、制御部８は、表示画像と共に、或いはそれに代えて、「この画像は記録できません」などの警告表示を、表示画面１７４に行わせるようにする（ステップＳ１１３）。かかる場合、メモリカード７への記憶は行われない。
【００３２】
本実施の形態によれば、携帯電話の使用者の使い勝手を確保しつつ、違法なコピーを防止して、放映された画像にかかる著作権者の権利を保護することができる。尚、
【００３３】
図５は、本実施の形態にかかる撮像機能付き携帯電話Ｔの動作の別例を示すフローチャート図である。本実施の形態でも、ＴＶチューナ部５０の取得したテレビジョン信号が、画像の配布、コピー、配布及びコピーのいずれかを許可もしくは禁止する情報を含む場合、ＴＶチューナ部５０は、画像信号の中にそれに応じた許可情報を、付帯情報として埋め込むものとする。
【００３４】
まず、携帯電話Ｔの使用者がメール送信モードを設定しているものとする。ここで、使用者は、メモリカード７に記憶された画像を添付したメールを送信したい場合がある。尚、メモリカード７に記憶された画像データ中の付帯情報内に、「配布不能」の情報が含まれているものは、原則的にメール添付不能であるが、例えば使用者が著作権者側に料金を払う（携帯電話の料金引き落とし口座からの引き落としを含む）ことで、所定の暗号情報（例えば数字の組み合わせ）を割り当てられている場合、かかる暗号情報を操作ボタン群１６を用いて入力することで、その制限が解除されるものとする。
【００３５】
まず、ステップＳ２０１で、使用者は、メール宛先などの所定の入力後に、メモリカード７に記憶された画像を表示画面１７４で確認し、送信したい画像を選択する。すると、制御装置８は、選択された画像に付随する情報又はその識別子を判断し（ステップＳ２０２）、それが撮像部１００により撮影された画像であると判断した場合、ステップＳ２０３で、その画像データをメール添付にて相手先に送信する。
【００３６】
一方、選択された画像に付随する情報又はその識別子を判断し、それがテレビジョン信号から抽出された画像であると判断した場合、制御部８は、ステップＳ２０４で、その画像データの付帯情報内に、「配布可能」の情報が含まれているか否か判断する。「配布可能」の情報が含まれていれば、著作権の問題はクリアできるので、制御部８は、ステップＳ２０３で、その画像データをメール添付にて相手先に送信する。
【００３７】
更に、選択された画像データの付帯情報内に、「配布不可」の情報が含まれていた場合でも、使用者が予め所定の暗号情報を割り当てられていれば、メール送信は可能である。そこで、使用者が操作ボタン群１６を操作することで、数字の組み合わせをキー入力したときは、制御部８は、ステップＳ２０５で、入力された数字の認証を行い、正しい数字の組み合わせが入力されたと判断した場合、画像データの付帯情報内の「配布不可」の情報を「配布可能」の情報に書き換える。かかる場合、著作権の問題はクリアできるので、制御部８は、ステップＳ２０３で、その画像データをメール添付にて相手先に送信する。尚、この画像データの付帯情報内には、「配布可能」の情報が含まれているので、以降この画像データのメール送信は自由になる。
【００３８】
これに対し、正しい数字の組み合わせが入力されなかったと判断した場合、制御部８は、ステップＳ２０６で、「この画像は送信できません」などの警告表示を表示画面１７４に行わせ、且つメール添付できないように処理する。
【００３９】
本実施の形態によれば、携帯電話の使用者の使い勝手を確保しつつ、違法な配布を防止して、放映された画像にかかる著作権者の権利を保護することができる。
【００４０】
以上、本発明を実施の形態を参照して説明してきたが、本発明は上記実施の形態に限定して解釈されるべきではなく、適宜変更・改良が可能であることはもちろんである。例えば、携帯端末とは、携帯電話に限らず、ＰＤＡ（Personal Digital(Data) Assistants）なども含む。 
【図面の簡単な説明】
【００４１】
【図１】本実施の形態にかかる携帯電話Ｔの正面図（ａ）及びその背面図（ｂ）である。
【図２】本実施の形態にかかる携帯電話Ｔの構成を示すブロック図である。
【図３】本実施の形態にかかる携帯電話Ｔの動作の一例を示すフローチャート図である。
【図４】変形例にかかる携帯電話Ｔの動作の一例を示すフローチャート図である。
【図５】別な実施の形態にかかる携帯電話Ｔの動作を示すフローチャート図である。
【符号の説明】
【００４２】
７  メモリカード
１１ 音声コーデック
１２ チャネルコーデック
１４ ダイバーシティアンテナ
１６ 操作ボタン群
２１ コンデンサマイク
２１ マイク
２２ 変調部
２３ 送信部
３１ 受信部
３２ 復調部
３３ レシーバ
３４ スピーカ
４２ レンズ
４３ 撮像素子
５０ ＴＶチューナ部
５１ ＦＲＯＭ
１００  撮像部
１７４ 表示画面
Ｒ レリーズスイッチ
【図１】
2006033109.tif 000003
【図２】
2006033109.tif 000004
【図３】
2006033109.tif 000005
【図４】
2006033109.tif 000006
【図５】
2006033109.tif 000007